(57)【特許請求の範囲】
【請求項１】
床暖房パネルが暖房対象空間に設置されている床暖房設備であって、
前記床暖房パネルに熱媒体流通管が装備され、熱源からの熱媒体が前記熱媒体流通管に循環流動されるように構成され、
前記床暖房パネルとして、前記暖房対象空間の中央部分に設置される主パネル部分とその主パネル部分の周囲の全周囲または一部に設置される副パネル部分とが設けられ、
前記熱源からの熱媒体を前記主パネル部分の熱媒体流通管、前記副パネル部分の熱媒体流通管の順に流動させるように、前記主パネル部分、前記副パネル部分、および、前記熱源が接続されている床暖房設備。
【請求項２】
前記主パネル部分の熱媒体流通管が、パネル全体にわたって分散配置した熱媒体往動通流用の往路部分と、その往路部分の端部から連なり前記往路部分に対し熱媒体通流方向が逆方向になる状態で並んで配置される熱媒体復動通流用の復路部分とを備えるように構成され、
前記復路部分を通流した熱媒体を前記副パネル部分に導入するように構成されている請求項１に記載の床暖房設備。
【請求項３】
前記主パネル部分における前記熱媒体流通管の設置密度が、前記副パネル部分における前記熱媒体流通管の設置密度よりも大きくなるように構成されている請求項１または２に記載の床暖房設備。
【請求項４】
前記主パネル部分を通流した熱媒体を前記副パネル部分を通流させて前記熱源に戻す併用通流状態と、前記主パネル部分を通流した熱媒体を前記副パネル部分をバイパスして前記熱源に戻す単独通流状態とに切換自在な通流状態切換手段が設けられている請求項１〜３のいずれか１項に記載の床暖房設備。
【請求項５】
床暖房パネルが暖房対象空間に設置されている床暖房設備であって、
前記床暖房パネルとして、前記暖房対象空間の中央部分に設置される主パネル部分とその主パネル部分の周囲の全周囲または一部に設置される副パネル部分とが設けられ、
前記主パネル部分および前記副パネル部分の夫々に加熱用長尺体が装備され、
前記主パネル部分における前記加熱用長尺体の設置密度が、前記副パネル部分における前記加熱用長尺体の設置密度よりも大きくなるように構成されている床暖房設備。
【発明の詳細な説明】
【０００１】
【発明の属する技術分野】
本発明は、床暖房パネルが暖房対象空間に設置されている床暖房設備に関する。
【０００２】
【従来の技術】
上記のような床暖房設備は、リビングや和室などの暖房対象空間の床面に床暖房パネルを敷設するものであり、図５に示すように、熱媒体流通管１を床暖房パネル３に装備させるものでは、床暖房パネル３の熱媒体流通管１に熱源Ｇから熱媒体としての温水を循環流動させることにより、暖房対象空間Ｋを暖房している。
そして、従来では、暖房対象空間Ｋの中央部分に床暖房パネル３を設け、その床暖房パネル３の側周部の全周を囲むように床暖房パネル３の側脇部にダミーパネルＢを設けて、その床暖房パネル３の上面にアルミ箔などの表面材Ｔを貼着したのち、フローリングなどの床仕上げ材Ｓを床暖房パネル３の上面およびダミーパネルＢの上面に設けている。
前記暖房対象空間Ｋのうち、使用者が存在する可能性の高い中央部分に、床暖房パネル３を敷設することにより、使用者が快適な暖房効果を得ることができ、床暖房パネル３の側脇部にダミーパネルＢを設置することにより、床仕上げ材Ｓを設ける床面を面一になるようにしている。
【０００３】
【発明が解決しようとする課題】
しかしながら、上記従来の床暖房設備では、暖房対象空間の中央部分にのみ床暖房パネルを敷設しているので、暖房対象空間Ｋの床面温度が中央部分と側脇部とで大幅に異なり、床面温度の温度バリアフリーは実現されていない。
【０００４】
そこで、暖房対象空間の床面の全体にわたって床暖房パネルを敷設するなど、床暖房パネルの敷設面積を大きくすることにより、暖房対象空間の床面温度の温度バリアフリーを実現することが考えられるが、この場合には、暖房対象空間のうち、使用者が存在する可能性の低い空間までも、使用者が存在する可能性の高い空間と同じように暖房されることとなるので、無駄な暖房を行うことになる。
しかも、床暖房パネルに熱媒体流通管を装備させるものでは、床暖房パネルの敷設面積が大きくなることにより、熱源からの熱媒体にて加熱する面積が大きくなるので、床暖房パネルの床面温度が全体的に低下することになり、暖房対象空間のうち、使用者が存在する可能性の高い空間では、使用者が快適感を得られる温度まで床暖房パネルの表面温度を上昇させることができなくなって、快適な暖房効果を得ることができず、かえって使用者に不快感を与えるなどの問題を生じる虞がある。
【０００５】
本発明は、かかる点に着目してなされたものであり、その目的は、快適な暖房効果を得ながら、暖房対象空間の床面温度の温度バリアフリーを目指す床暖房設備を提供する点にある。
【０００６】
【課題を解決するための手段】
この目的を達成するために、請求項１に記載の発明によれば、床暖房パネルが暖房対象空間に設置されている床暖房設備において、
前記床暖房パネルに熱媒体流通管が装備され、熱源からの熱媒体が前記熱媒体流通管に循環流動されるように構成され、前記床暖房パネルとして、前記暖房対象空間の中央部分に設置される主パネル部分とその主パネル部分の周囲の全周囲または一部に設置される副パネル部分とが設けられ、前記熱源からの熱媒体を前記主パネル部分の熱媒体流通管、前記副パネル部分の熱媒体流通管の順に流動させるように、前記主パネル部分、前記副パネル部分、および、前記熱源が接続されている。
【０００７】
すなわち、暖房対象空間のうち、使用者が存在する可能性の高い中央部分に主パネル部分を設置し、その主パネル部分の側脇部として、主パネル部分の側周部の全周や一部など、主パネル部分の周囲のうち、全周囲または一部に副パネル部分を設置することにより、暖房対象空間の床面に全体的に床暖房パネルを敷設することになる。
ちなみに、副パネル部分を主パネル部分の周囲のうち、一部に設置する場合には、主パネル部分の周囲のうち、残りの部分にダミーパネルを設置することにより、副パネル部分およびダミーパネルにて主パネル部分の周囲の全周囲を覆うようにする。
【０００８】
熱源からの熱媒体は、まず、暖房対象空間の中央部分に設置された主パネル部分の熱媒体流通管を通流することにより、主パネル部分の表面を加熱し、次に、主パネル部分の側周部の全周や一部に設置された副パネル部分の熱媒体流通管を通流することにより、副パネル部分の表面を加熱し、その後、熱源に戻ることになる。
そして、熱媒体は通流に伴う放熱によって温度が低下するものとなるが、主パネル部分では放熱前の十分高温な熱媒体が熱源より供給されることになる。
【０００９】
したがって、熱源からの熱媒体が副パネル部分よりも先に供給される主パネル部分では、使用者が快適感を得られる温度まで表面温度を高くすることができ、しかも、主パネル部分と副パネル部分とによって暖房対象空間の床面温度を全体にわたって上昇させることができることになるので、主パネル部分が設置された使用者が存在する可能性の高い空間では、快適な暖房効果を得ながら、暖房対象空間の床面温度の温度バリアフリーを実現できることになる。
【００１０】
以上のことから、使用者が存在する可能性の高い空間では、快適な暖房効果を得ながら、主パネル部分および副パネル部分によって、暖房対象空間の床面温度を全体的に上昇させることができることになって、快適な暖房効果を得ながら、暖房対象空間の床面温度の温度バリアフリーを実現できる床暖房設備を提供できるに至った。
【００１１】
請求項２に記載の発明によれば、前記主パネル部分の熱媒体流通管が、パネル全体にわたって分散配置した熱媒体往動通流用の往路部分と、その往路部分の端部から連なり前記往路部分に対し熱媒体流動方向が逆方向になる状態で並んで配置される熱媒体復動通流用の復路部分とを備えるように構成され、前記復路部分を通流した熱媒体を前記副パネル部分に導入するように構成されている。
【００１２】
すなわち、主パネル部分の熱媒体流通管に供給される熱媒体は、まず、往路部分を通流して主パネル部分のパネル全体にわたって往動通流し、次に、往路部分に対し熱媒体通流方向が逆方向になる状態で並んで配置される復路部分を通流して主パネル部分のパネル全体にわたって復動通流し、その後、副パネル部分の熱媒体流通管に供給されることになる。
そして、熱媒体は通流に伴う放熱によって温度低下するものとなるが、主パネル部分においては、順次温度が高温から低温に移行する往路部分と、順次温度が高温から低温に移行する復路部分とが、流れ方向が逆になる状態で並ぶため、主パネル部分の各部への放熱量を均一化し易いものとなっている。
したがって、熱媒体流通管の往路部分および復路部分を通流する熱媒体により、主パネル部分のパネル全体にわたって表面温度を均一にすることができることになって、主パネル部分が設置された使用者が存在する可能性の高い空間では、床面全体にわたって均一に暖房することができることになる。
【００１３】
請求項３に記載の発明によれば、前記主パネル部分における前記熱媒体流通管の設置密度が、前記副パネル部分における前記熱媒体流通管の設置密度よりも大きくなるように構成されている。
【００１４】
すなわち、熱媒体流通管の設置密度とは、単位面積当たりに熱媒体流通管が占める度合いを示したものであり、その熱媒体流通管の設置密度が、主パネル部分の方が副パネル部分よりも大きくなるように構成することにより、主パネル部分は、副パネル部分よりも、熱媒体流通管が密集した状態で設けられることになる。
したがって、主パネル部分においては、熱媒体流通管を密集した状態で設けることにより、表面温度を使用者が快適感を得られる温度まで的確に上昇させることができることとなって、主パネル部分が設置された使用者が存在する可能性の高い空間では、所望の暖房効果を的確に得ることができることになる。
【００１５】
請求項４に記載の発明によれば、前記主パネル部分を通流した熱媒体を前記副パネル部分を通流させて前記熱源に戻す併用通流状態と、前記主パネル部分を通流した熱媒体を前記副パネル部分をバイパスして前記熱源に戻す単独通流状態とに切換自在な通流状態切換手段が設けられている。
【００１６】
すなわち、手動操作や切換指令が指令されるなどによって、通流状態切換手段を併用通流状態と単独通流状態とに切り換えることにより、熱源からの熱媒体を主パネル部分の熱媒体流通管と副パネル部分の熱媒体流通管の両方に通流させる状態と、熱源からの熱媒体を主パネル部分の熱媒体流通管のみに通流させる状態とに切り換えることになる。
したがって、使用者が手動操作や切換指令を指令することにより、主パネル部分と副パネル部分との両方にて、暖房対象空間の床面全体にわたって暖房する状態と、主パネル部分のみにて、暖房対象空間の床面の一部を集中して暖房する状態とに切り換えることができることになって、使用者の意図に応じた状態で暖房対象空間を暖房することができることになる。
【００１７】
請求項５に記載の発明によれば、床暖房パネルが暖房対象空間に設置されている床暖房設備において、
前記床暖房パネルとして、前記暖房対象空間の中央部分に設置される主パネル部分とその主パネル部分の周囲の全周囲または一部に設置される副パネル部分とが設けられ、前記主パネル部分および前記副パネル部分の夫々に加熱用長尺体が装備され、前記主パネル部分における前記加熱用長尺体の設置密度が、前記副パネル部分における前記加熱用長尺体の設置密度よりも大きくなるように構成されている。
【００１８】
すなわち、暖房対象空間のうち、使用者が存在する可能性の高い中央部分に主パネル部分を設置し、その主パネル部分の側脇部として、主パネル部分の側周部の全周や一部など、主パネル部分の周囲のうち、全周囲または一部に副パネル部分を設置することにより、暖房対象空間の床面に全体的に床暖房パネルを敷設することになる。
ちなみに、副パネル部分を主パネル部分の周囲のうち、一部に設置する場合には、主パネル部分の周囲のうち、残りの部分にダミーパネルを設置することにより、副パネル部分およびダミーパネルにて主パネル部分の周囲の全周囲を覆うようにする。
【００１９】
そして、加熱用長尺体とは、熱媒体流通管や電気ヒータなどを示し、その加熱用長尺体の設置密度とは、単位面積当たりに加熱用長尺体が占める度合いを示したものであり、加熱用長尺体の設置密度が、主パネル部分の方が副パネル部分よりも大きくなるように構成することにより、主パネル部分は、副パネル部分よりも、加熱用長尺体が密集した状態で設けられることになる。
【００２０】
したがって、主パネル部分においては、加熱用長尺体を密集した状態で設けることにより、表面温度を使用者が快適感を得られる温度まで的確に上昇させることができ、しかも、主パネル部分と副パネル部分とによって暖房対象空間の床面温度を全体にわたって上昇させることができることになるので、主パネル部分が設置された使用者が存在する可能性の高い空間では、快適な暖房効果を得ながら、暖房対象空間の床面温度の温度バリアフリーを実現できることになる。
【００２１】
以上のことから、使用者が存在する可能性の高い空間では、快適な暖房効果を得ながら、主パネル部分および副パネル部分によって、暖房対象空間の床面温度を全体的に上昇させることができることになって、快適な暖房効果を得ながら、暖房対象空間の床面温度の温度バリアフリーを実現できる床暖房設備を提供できるに至った。
【００２２】
【発明の実施の形態】
本発明にかかる床暖房設備について図面に基づいて説明する。
〔第１実施形態〕
この床暖房設備は、図１および図２に示すように、リビングや和室などの暖房対象空間Ｋの床面に設置される床暖房パネル３と、その床暖房パネル３の熱媒体流通管１，２に熱媒体としての温水を循環流動させる熱源としての熱源機Ｇとを備えて構成されている。
前記床暖房パネル３として、暖房対象空間Ｋの中央部分に設置される主パネル部分３ａとその主パネル部分３ａの側脇部に設置される副パネル部分３ｂとが設けられ、主パネル部分３ａおよび副パネル部分３ｂに熱媒体流通管１，２が装備されている。
【００２３】
前記熱源機Ｇからの温水を主パネル部分３ａの熱媒体流通管１、副パネル部分３ｂの熱媒体流通管２の順に流動させるように、主パネル部分３ａ、副パネル部分３ｂ、および、熱源機Ｇが接続されている。
すなわち、熱源機Ｇから温水を供給する側が、主パネル部分３ａの熱媒体流通管１の入口側に接続され、主パネル部分３ａの熱媒体流通管１の出口側が、副パネル部分３ｂの熱媒体流通管２の入口側に接続され、副パネル部分３ｂの熱媒体流通管２の出口側が、熱源機Ｇに温水を戻す側に接続されている。
【００２４】
そして、主パネル部分３ａおよび副パネル部分３ｂに熱媒体流通管１，２を装備した状態でその上面にアルミ箔などの表面材Ｔを貼着したのち、その表面材Ｔの上面に床仕上げ材Ｓを敷設するように構成されている。
ちなみに、図２は、表面材Ｔを取り外した状態での床暖房パネル３の平面拡大図を示し、表面材Ｔは、主パネル部分３ａの上面部分と副パネル部分３ｂの上面部分とを一体的に構成したり、主パネル部分３ａの上面部分と副パネル部分３ｂの上面部分とを分割するように構成することが可能である。
【００２５】
前記主パネル部分３ａは、暖房対象空間Ｋの中央部分に設置され、主直線用基材４の複数枚と、主直線用基材４の幅のほぼ２倍の幅を備えた幅広の主湾曲用基材５の複数枚と、主直線用基材４の幅とほぼ同じ幅を備えた幅狭の主湾曲用基材６とから構成され、主直線用基材４、幅広の主湾曲用基材５、および、幅狭の主湾曲用基材６の夫々には、熱媒体流通管１を配設するための上方が開口した凹入状の主溝部７が形成されている。
そして、主直線用基材４、幅広の主湾曲用基材５、および、幅狭の主湾曲用基材６の夫々は、同じ厚みで、例えば、ポリエチレン発泡体などの発泡体にて構成され、熱媒体流通管１を配設するための溝部の形状が異なる複数の矩形基材を並べることにより、主パネル部分３ａを構成している。
【００２６】
前記主パネル部分３ａは、主直線用基材４の長さ方向（図２中Ｙ方向）に隣接させた２つの主直線用基材４を、その幅方向（図２中Ｘ方向）を同一方向として、複数の主直線用基材４を互いに隣接するように配置し、主直線用基材４の長さ方向（図２中Ｙ方向）の両端部に幅広の主湾曲用基材５を配置して構成されている。
また、幅狭の主湾曲用基材６は、主直線用基材４の長さ方向（図２中Ｙ方向）の一端部で、かつ、主直線用基材４の幅方向（図２中Ｘ方向）の一端部に配置されている。
ちなみに、主パネル部分３ａにおいて、幅狭の主湾曲用基材６の配置位置と対向する端部には、熱媒体流通管１の入口部分および出口部分を配管するように、他の主直線用基材４よりも長さが長い接続用の主直線用基材４ａが配置されている。
【００２７】
前記主直線用基材４および前記主湾曲用基材５，６の幅方向に隣接する形態で木製の小根太１５が設けられ、この小根太１５は、幅が同じで長さが異なる複数の板体を主直線用基材４および主湾曲用基材５，６の幅方向に並べて構成されている。
ちなみに、小根太１５として、主直線用基材４と同じ長さを備えた長尺の板体と、その長尺の板体よりも短くて主湾曲用基材５，６と同じ長さを備えた中尺の板体と、その中尺の板体よりも短い長さを備えた短尺の板体とが設けられ、長尺の板体を主直線用基材４の間に設置し、中尺の板体を幅広の主湾曲用基材５どうしの間または幅広の主湾曲用基材５と幅狭の主湾曲用基材６の間に設置し、短尺の板体を幅広の主湾曲用基材５の中央部分に設置するようにしている。
【００２８】
前記主溝部７は、主直線用基材４に形成された直線状の主直線溝部７ａと、幅広の主湾曲用基材５に形成された湾曲状の主湾曲溝部７ｂと、幅狭の主湾曲用基材６に形成された湾曲状の主湾曲溝部７ｃとから構成され、主直線溝部７ａ、主湾曲溝部７ｂ、および、主湾曲溝部７ｃにわたって熱媒体流通管１を配管するように構成されている。
前記主湾曲溝部７ｂは、主直線用基材４の幅方向に隣接する主直線用基材４に形成された主直線溝部７ａにわたって熱媒体流通管１を配管するように構成されている。
前記主湾曲溝部７ｃは、同じ主直線用基材４に形成された直線用基材７ａにわたって熱媒体流通管１を配管するように構成されている。
【００２９】
前記主パネル部分３ａの熱媒体流通管１は、一般的に架橋ポリエチレン管やポリブテン樹脂管など可撓性のあるものが使用され、接続部のない管により構成されている。
そして、主パネル部分３ａの熱媒体流通管１は、主直線溝部７ａおよび主湾曲溝部７ｂにわたって蛇行状に配管されて主湾曲溝部７ｃに連なる熱媒体往動通流用の往路部分１ａと、主湾曲溝部７ｃから連なり主直線溝部７ａおよび主湾曲溝部７ｂにわたって蛇行状に配管される熱媒体復動通流用の復路部分１ｂとを備えるように構成されている。
すなわち、主パネル部分３ａの熱媒体流通管１は、パネル全体にわたって分散配置した往路部分１ａと、その往路部分１ａの端部から連なり往路部分１ａに対し熱媒体通流方向が逆方向になる状態で並んで配置される、すなわち往路部分１ａの端部から連なり往路部分１ａと平行またはほぼ平行な姿勢で配置される復路部分１ｂとを備えて構成され、往路部分１ａと復路部分１ｂとを主パネル部分用間隔Ｄ１を隔てて隣接する状態で配置するようにしている。
【００３０】
前記副パネル部分３ｂは、主パネル部分３ａの側周部の全周を囲むように主パネル部分３ａの周囲の全周囲に設置され、副直線用基材８の複数枚と、副直線用基材８の幅とほぼ同じ幅を備えた副円弧用基材９の複数枚と、副直線用基材８の幅とほぼ同じ幅を備えた副湾曲用基材１０とから構成され、副直線用基材８、副円弧用基材９、および、副湾曲用基材１０の夫々には、熱媒体流通管２を配設するための上方が開口した凹入状の副溝部１１が形成されている。
そして、副直線用基材８、副円弧用基材９、および、副湾曲用基材１０の夫々は、同じ厚みで、例えば、木製にて構成され、熱媒体流通管２を配設するための溝部の形状が異なる複数の矩形基材を並べることにより、副パネル部分３ｂを構成している。
【００３１】
前記副パネル部分３ｂは、主パネル部分３ａの四隅部に副円弧用基材９および副湾曲用基材１０を配置させ、副円弧用基材９と副湾曲用基材１０の間および副円弧用基材９間に副直線用基材８を配置させて、副直線用基材８、副円弧用基材９、および、副湾曲用基材１０にて主パネル部分３ａの側周部の全周を囲むように構成されている。
【００３２】
前記副溝部１１は、副直線用基材８に形成された直線状の副直線溝部１１ａと、副円弧用基材９に形成された円弧状の副円弧溝部１１ｂと、副湾曲用基材１０に形成された湾曲状の副湾曲溝部１１ｃとから構成され、副直線溝部１１ａ、副円弧溝部１１ｂ、および、副湾曲溝部１１ｃにわたって熱媒体流通管２を配管するように構成されている。
前記副円弧溝部１１ｂは、副円弧用基材９に対して直交する方向に配置される副直線用基材８の副直線溝部１１ａにわたって熱媒体流通管２を配管するように構成されている。
前記副湾曲溝部１１ｃは、同じ副直線用基材８に形成された副直線溝部１１ａにわたって熱媒体流通管２を配管するように構成されている。
【００３３】
前記副パネル部分３ｂの熱媒体流通管２も、主パネル部分３ａの熱媒体流通管１と同様に、一般的に架橋ポリエチレン管やポリブテン樹脂管など可撓性のあるものが使用され、接続部のない管により構成されている。
そして、副パネル部分３ｂの熱媒体流通管２は、副直線溝部１１ａおよび副円弧溝部１１ｂにわたって配管されて副湾曲溝部１１ｃに連なる熱媒体往動通流用の往路部分２ａと、副湾曲溝部１１ｃから連なり副直線溝部１１ａおよび副円弧溝部１１ｂにわたって配管される熱媒体復動通流用の復路部分２ｂとを備えるように構成され、往路部分２ａと復路部分２ｂとを副パネル部分用間隔Ｄ２を隔てて隣接する状態で配置するようにしている。
【００３４】
前記主パネル部分３ａの熱媒体流通管１は、主パネル部分用間隔Ｄ１を隔てて隣接する状態で配置され、副パネル部分３ｂの熱媒体流通管２は、主パネル部分用間隔Ｄ１よりも大きい副パネル部分用間隔Ｄ２を隔てて隣接する状態で配置されて、主パネル部分３ａにおける熱媒体流通管１の設置密度が、副パネル部分３ｂにおける熱媒体流通管２の設置密度よりも大きくなるように構成されている。ちなみに、主パネル部分３ａにおいて、小根太１５を、例えば、主直線基材４の幅方向（図２中Ｘ方向）に３０３ｍｍの間隔を隔てて配置し、その小根太１５間に熱媒体流通管１を２本配管させるようにして、主パネル部分用間隔Ｄ１を、例えば、１５０ｍｍとし、副パネル部分用間隔Ｄ２を、例えば、２００〜３００ｍｍとしている。
【００３５】
前記副パネル部分３ｂには、主パネル部分３ａ、副パネル部分３ｂ、および、熱源機Ｇを接続するための接続用基材１２が、接続用の主直線用基材４ａに隣接する状態で配置され、この接続用基材１２にも、上方が開口した凹入状の接続溝部１３が形成されている。
【００３６】
前記接続溝部１３は、直線状の供給用溝部１３ａと、Ｌ字状の中継用溝部１３ｂと、Ｌ字状の戻し用溝部１３ｃと、中継用溝部１３ｂと戻し用溝部１３ｃとを接続する直線状のバイパス用溝部１３ｄなどから構成されている。
そして、供給用溝部１３ａ、中継用溝部１３ｂ、戻し用溝部１３ｃ、および、バイパス用溝部１３ｄは、熱源機Ｇと主パネル部分３ａを接続する管部分、主パネル部分３ａと副パネル部分３ｂを接続する管部分、および、副パネル部分３ｂと熱源機Ｇとを接続する管部分を配管するように構成されている。
【００３７】
ちなみに、図示は省略しているが、熱源機Ｇと主パネル部分３ａを接続する接続管、主パネル部分３ａと副パネル部分３ｂを接続する接続管、および、副パネル部分３ｂと熱源機Ｇとを接続する接続管などの各接続管として、直線状やＴ字状などの各種形状の接続管が設けられ、これらの接続管を接続溝部１３に配管するように構成されている。
【００３８】
前記バイパス溝部１３ｄと戻し溝部１３ｃとの接続箇所には、熱源機Ｇからの温水を主パネル部分３ａおよび副パネル部分３ｂの両方に通流させて熱源機Ｇに戻す併用通流状態と、熱源機Ｇからの温水を主パネル部分３ａのみに通流させて熱源機Ｇに戻す単独通流状態とに切換自在な通流状態切換手段としての通流状態切換体１４が配設されている。
すなわち、通流状態切換体１４は、使用者による手動操作や、図外のリモコンからの切換指令により、主パネル部分３ａを通流した温水を副パネル部分３ｂを通流させて熱源機Ｇに戻す併用通流状態と、主パネル部分３ａを通流した温水を副パネル部分３ｂをバイパスして熱源機Ｇに戻す単独通流状態とに切り換えるように構成されている。
【００３９】
以上のように構成された床暖房設備にて、暖房対象空間Ｋを暖房する場合について説明を加える。
まず、主パネル部分３ａおよび副パネル部分３ｂにて暖房対象空間Ｋを暖房するときについて説明すると、手動操作あるいは図外のリモコンにて併用通流状態用の切換指令を指令することにより、通流状態切換体１４を併用通流状態に切り換える。
熱源機Ｇからの温水は、まず、主パネル部分３ａの熱媒体流通管１に供給され、その熱媒体流通管１における往路部分１ａおよび復路部分１ｂを通流される。そして、主パネル部分３ａを通流した温水は、副パネル部分３ｂの熱媒体流通管２に供給され、その熱媒体流通管２における往路部分２ａおよび復路部分２ｂを通流したのち、熱源機Ｇに戻される。
【００４０】
このようにして、熱源機Ｇからの温水を、主パネル部分３ａの熱媒体流通管１、副パネル部分３ｂの熱媒体流通管２の順に通流させたのち、熱源機Ｇに戻すことにより、主パネル部分３ａのパネル全体にわたって表面温度を使用者が快適感を感じる温度まで上昇させて、暖房対象空間Ｋの中央部分では、所望の暖房効果を得るとともに、主パネル部分３ａおよび副パネル部分３ｂの全体にわたって表面温度を上昇させて、暖房対象空間Ｋの床面を全体的に暖房して、暖房対象空間Ｋの床面温度の温度バリアフリーを実現するようにしている。
【００４１】
次に、主パネル部分３ａのみにて暖房対象空間Ｋを暖房するときについて説明すると、手動操作あるいは図外のリモコンにて単独通流状態用の切換指令を指令することにより、通流状態切換体１４を単独通流状態に切り換える。
熱源機Ｇからの温水は、まず、主パネル部分３ａの熱媒体流通管１に供給され、その熱媒体流通管１における往路部分１ａおよび復路部分１ｂを通流される。
そして、主パネル部分３ａを通流した温水は、通流状態切換体１４の作用により、副パネル部分３ｂをバイパスして熱源機Ｇに戻される。
【００４２】
このようにして、熱源機Ｇからの温水を、主パネル部分３ａの熱媒体流通管１を通流させたのち、熱源機Ｇに戻すことにより、主パネル部分３ａのパネル全体にわたって表面温度を使用者が快適感を感じる温度まで上昇させて、暖房対象空間Ｋの中央部分を集中して暖房して、所望の暖房効果を得るようにしている。
【００４３】
〔第２実施形態〕
この第２実施形態は、上記第１実施形態において、主パネル部分３ａ、副パネル部分３ｂ、および、熱源機Ｇを接続する構成の別実施形態を示すものである。
以下、この第２実施形態について説明するが、主パネル部分３ａ、副パネル部分３ｂ、および、熱源機Ｇを接続する構成を中心に説明し、それ以外の構成については、上記第１実施形態と同様であるので、説明を省略する。
【００４４】
前記熱源機Ｇからの温水を供給する側が、図３に示すように、主パネル部分３ａの熱媒体流通管１の入口側および副パネル部分３ｂの熱媒体流通管２の入口側に分岐する状態で接続され、主パネル部分３ａの熱媒体流通管１の出口側および副パネル部分３ｂの熱媒体流通管２の出口側が、熱源機Ｇに温水を戻す側に合流する状態で接続されている。
そして、熱源機Ｇからの温水を主パネル部分３ａの熱媒体流通管１と副パネル部分３ｂの熱媒体流通管２に分岐して流動させるように、主パネル部分３ａ、副パネル部分３ｂ、および、熱源機Ｇが接続されている。
【００４５】
前記副パネル部分３ｂには、主パネル部分３ａ、副パネル部分３ｂ、および、熱源機Ｇを接続するための接続用基材１６，１７が備えられ、これら接続用基材１６，１７の夫々にも、上方が開口した凹入状の接続溝部１８，１９が形成されている。
【００４６】
前記主パネル部分３ａと熱源機Ｇとを接続するための接続用基材１６に形成された接続溝部１８に、主パネル部分３ａの熱媒体流通管１の入口部分および出口部分を配管させるように構成され、その熱媒体流通管１の両端部を熱媒ヘッダＨに接続して、主パネル部分３ａと熱源機Ｇを接続するようにしている。
前記副パネル部分３ｂと熱源機Ｇとを接続するための接続用基材１７に形成された接続溝部１９に、副パネル部分３ｂの熱媒体流通管２の入口部分および出口部分を配管させるように構成され、その熱媒体流通管２の両端部を熱媒ヘッダＨに接続して、副パネル部分３ｂと熱源機Ｇを接続するようにしている。
【００４７】
すなわち、熱源機Ｇからの温水が熱媒ヘッダＨにて主パネル部分３ａの熱媒体流通管１と副パネル部分３ｂの熱媒体流通管２とに分岐して流動するように構成され、主パネル部分３ａの熱媒体流通管１を通流した温水と副パネル部分３ｂの熱媒体流通管２を通流した温水とが熱媒ヘッダＨにて合流して熱源機Ｇに戻されるように構成されている。
【００４８】
そして、図示はしないが、熱媒ヘッダＨには、熱源機Ｇからの温水を主パネル部分３ａの熱媒体流通管１と副パネル部分３ｂの熱媒体流通管２とに通流させる状態と、熱源機Ｇからの温水を主パネル部分３ａの熱媒体流通管１のみに通流させる状態とに切換自在な通流状態切換手段としての切換弁が装備され、この切換弁によって併用通流状態と単独通流状態とに切り換えられるように構成されている。
【００４９】
ちなみに、上記第１実施形態と同様に、主パネル部分３ａおよび副パネル部分３ｂには、加熱用長尺体としての熱媒体流通管１，２が装備され、主パネル部分３ａの熱媒体流通管１は、主パネル部分用間隔Ｄ１を隔てて隣接する状態で配置され、副パネル部分３ｂの熱媒体流通管２は、主パネル部分用間隔Ｄ１よりも大きい副パネル部分用間隔Ｄ２を隔てて隣接する状態で配置されて、主パネル部分３ａにおける熱媒体流通管１の設置密度が、副パネル部分３ｂにおける熱媒体流通管２の設置密度よりも大きくなるように構成されている。
【００５０】
〔別実施形態〕
（１）上記第１および第２実施形態では、主パネル部分３ａの側周部の全周を囲むように副パネル部分３ｂを配置させ、主パネル部分３ａの周囲の全周囲に副パネル部分３ｂを設置するようにしているが、このような構成に代えて、主パネル部分３ａの側周部の一部に副パネル部分３ｂ配置させ、主パネル部分３ａの周囲の一部に副パネル部分３ｂを設置することも可能である。
例えば、上記第１実施形態では、図４に示すように、主パネル部分３ａの側周部の一部に副パネル部分３ｂを配置して、残りの部分には、ダミーパネルＢを配置させるようにしてもよい。
ちなみに、図４のものでは、副直線用基材８、副円弧用基材９、および、コの字状のコ字状溝部１１ｄが形成された副コ字用基材８ａとを並べて、副パネル部分３ｂを構成している。
また、図示はしないものの、上記第２実施形態においても、主パネル部分３ａの側周部の一部に副パネル部分３ｂを配置して、残りの部分には、ダミーパネルＢを配置させるようにしてもよい。
【００５１】
（２）上記第１および第２実施形態では、主パネル部分３ａの熱媒体流通管１、および、副パネル部分３ｂの熱媒体流通管２は、ともに、熱媒体往動通流用の往路部分と熱媒体復動通流用の復路部分とを備えて、熱媒体流通管を往復配管するようにしているが、必ずしも熱媒体流通管を往復配管する必要はなく、また、主パネル部分３ａまたは副パネル部分３ｂの一方のみ熱媒体流通管を往復配管することも可能である。
【００５２】
（３）上記第１および第２実施形態では、主パネル部分３ａにおける熱媒体流通管１の設置密度を、副パネル部分３ｂにおける熱媒体流通管２の設置密度よりも大きくするために、主パネル部分用間隔Ｄ１よりも副パネル部分用間隔Ｄ２を大きくするようにしているが、このような構成に限らず、例えば、主パネル部分３ａに配管する熱媒体流通管の数を副パネル部分３ｂに配管する熱媒体流通管の数よりも多くするなど、適宜変更が可能である。
また、上記第１実施形態では、主パネル部分３ａにおける熱媒体流通管１の設置密度と、副パネル部分３ｂにおける熱媒体流通管２の設置密度とを、同様な設置密度となるようにしてもよい。
【００５３】
（４）上記第１および第２実施形態では、併用通流状態と単独通流状態とに切換自在な通流状態切換手段を設けるようにしているが、この通流状態切換手段を設けずに、常時、併用通流状態として実施することも可能である。
【００５４】
（５）上記第１および第２実施形態では、主パネル部分３ａとして、複数に分割された基材に熱媒体流通管１を配管するように構成されたパネルを例示したが、予め熱媒体流通管が装備された一体型のパネルを適応することも可能である。
副パネル部分３ｂについても、複数に分割された基材に熱媒体流通管１を配管するように構成されたパネルに限らず、予め熱媒体流通管が装備された一体型のパネルを適応することも可能である。
また、主パネル部分３ａと副パネル部分３ｂとを一体型で構成することも可能である。
【００５５】
（６）上記第１および第２実施形態では、主パネル部分３ａとして、小根太１５を設ける小根太付きパネルを例示したが、小根太１５を設けるものに限らず、熱媒体流通管が装備された各種のパネルを適応することが可能である。
また、副パネル部分３ｂについても、熱媒体流通管が装備された各種のパネルを適応することが可能である。
【００５６】
（７）上記第１および第２実施形態では、リビングや和室などを暖房対象空間として、その暖房対象空間に床暖房パネル３を敷設する例を示したが、廊下や台所などを暖房対象空間として適応することも可能である。
【００５７】
（８）上記第２実施形態では、加熱用長尺体として、熱媒体流通管を床暖房パネル３に装備する例を示したが、加熱用長尺体としては、熱媒体流通管に限らず、例えば、電気ヒータでもよく、電気ヒータを床暖房パネルに装備して実施することも可能である。
【図面の簡単な説明】
【図１】第１実施形態における暖房対象空間の床面の一部切欠斜視図
【図２】第１実施形態における床暖房パネルの平面図
【図３】第２実施形態における床暖房パネルの平面図
【図４】別実施形態における床暖房パネルの平面図
【図５】従来技術における暖房対象空間の床面の一部切欠斜視図
【符号の説明】
１，２          熱媒体流通管
１ａ            往路部分
１ｂ            復路部分
３              床暖房パネル
３ａ            主パネル部分
３ｂ            副パネル部分
１４            通流状態切換手段
【図１】
0003926212.tif 000002
【図２】
0003926212.tif 000003
【図３】
0003926212.tif 000004
【図４】
0003926212.tif 000005
【図５】
0003926212.tif 000006